(57)【要約】  電力システムは、蓄電装置と、電力装置と、を備える。電力装置は、蓄電装置から電力の供給を受け付ける。蓄電装置または電力装置は、蓄電装置と電力装置とが接続されると、電力装置が蓄電装置から受け付ける電力の供給を、蓄電装置の充放電に関する充放電履歴情報に基づいて制御する。
2019044708.tif 000002
【特許請求の範囲】
【請求項１】
蓄電装置と、前記蓄電装置からの電力の供給を受け付ける電力装置と、を備える電力システムであって、
前記蓄電装置または前記電力装置は、前記蓄電装置と前記電力装置とが接続されると、前記電力装置が前記蓄電装置から受け付ける電力の供給を、前記蓄電装置の充放電に関する充放電履歴情報に基づいて制御する、電力システム。
【請求項２】
請求項１に記載の電力システムであって、
前記充放電履歴情報は、所定条件を満たす第１充電装置からの充電電力量に応じて増加する第１パラメータと、前記所定条件を満たさない第２充電装置からの充電電力量に応じて増加する第２パラメータと、を含む、電力システム。
【請求項３】
請求項２に記載の電力システムであって、
前記蓄電装置または前記電力装置は、前記第１パラメータに基づいて決定される上限電力量まで前記電力装置が前記蓄電装置から電力の供給の受け付けることを許可する、電力システム。
【請求項４】
請求項２に記載の電力システムであって、
前記蓄電装置または前記電力装置は、前記第２パラメータがゼロである場合に前記電力装置が前記蓄電装置から電力の供給の受け付けることを許可し、前記第２パラメータがゼロでない場合に前記電力装置が前記蓄電装置から電力の供給の受け付けることを禁止する、電力システム。
【請求項５】
請求項２から４のいずれか一項に記載の電力システムであって、
前記所定条件は、再生可能エネルギーを用いて発電された電力を供給する充電装置であるとの条件を含む、電力システム。
【請求項６】
請求項２から４のいずれか一項に記載の電力システムであって、
前記所定条件は、再生可能エネルギーを用いて発電された電力を供給し、且つ、前記蓄電装置のユーザに対応付けられた充電装置であるとの条件を含む、電力システム。
【請求項７】
請求項２から６のいずれか一項に記載の電力システムであって、
前記蓄電装置は、前記電力装置に対する電力の供給以外で放電すると、放電電力量の分だけ前記第１パラメータおよび前記第２パラメータの合計値を減少させ、
前記第２パラメータがゼロよりも大きい場合、前記第２パラメータが優先的に減少する、電力システム。
【請求項８】
請求項２から７のいずれか一項に記載の電力システムであって、
前記蓄電装置は、前記電力装置に対して電力の供給をすると、前記電力装置に対して供給した電力量の分だけ前記第１パラメータを減少させる、電力システム。
【請求項９】
請求項２から８のいずれか一項に記載の電力システムであって、
前記蓄電装置は、回生ブレーキによって前記蓄電装置を充電する移動体に搭載されており、
前記第２パラメータは、前記移動体の回生ブレーキによる充電電力量に応じて増加する、電力システム。
【請求項１０】
請求項１から９のいずれか一項に記載の電力システムであって、
前記電力装置は、前記蓄電装置によって供給された電力量に応じた報酬を前記蓄電装置のユーザに付与する、電力システム。
【請求項１１】
電力装置に対して電力を供給する蓄電装置であって、
前記電力装置と接続されると、前記電力装置が前記蓄電装置から受け付ける電力の供給を、前記蓄電装置の充放電に関する充放電履歴情報に基づいて制御する制御部
を備える、蓄電装置。
【請求項１２】
蓄電装置と、前記蓄電装置から電力の供給を受け付ける電力装置と、を備える電力システムの制御方法であって、
前記蓄電装置または前記電力装置が、前記蓄電装置と前記電力装置とが接続されると、前記電力装置が前記蓄電装置から受け付ける電力の供給を、前記蓄電装置の充放電に関する充放電履歴情報に基づいて制御するステップ
を含む、電力システムの制御方法。
【発明の詳細な説明】
【関連出願の相互参照】
【０００１】
本出願は、２０１７年８月３０日に日本国に特許出願された特願２０１７−１６６０７１号の優先権を主張するものであり、この先の出願の開示全体をここに参照のために取り込む。
【技術分野】
【０００２】
本開示は、電力システム、蓄電装置、および電力システムの制御方法に関する。
【背景技術】
【０００３】
従来、需要家施設から商用電源へ売電する技術が知られている。例えば特許文献１には、自家用蓄電装置から系統側に売電するエネルギーシステムが開示されている。
【先行技術文献】
【特許文献】
【０００４】
【特許文献１】特開２０１２−１８６９６３号公報
【発明の概要】
【０００５】
本開示の一実施形態に係る電力システムは、蓄電装置と、電力装置と、を備える。前記電力装置は、前記蓄電装置からの電力の供給を受け付ける。前記蓄電装置または前記電力装置は、前記蓄電装置と前記電力装置とが接続されると、前記電力装置が前記蓄電装置から受け付ける電力の供給を、前記蓄電装置の充放電に関する充放電履歴情報に基づいて制御する。
【０００６】
本開示の一実施形態に係る蓄電装置は、電力装置に対して電力を供給する。前記蓄電装置は、制御部を備える。前記制御部は、前記電力装置と接続されると、前記電力装置が前記蓄電装置から受け付ける電力の供給を、前記蓄電装置の充放電に関する充放電履歴情報に基づいて制御する。
【０００７】
本開示の一実施形態に係る電力システムの制御方法は、蓄電装置と、電力装置と、を備える電力システムの制御方法である。前記電力装置は、前記蓄電装置から電力の供給を受け付ける。電力システムの制御方法は、前記蓄電装置または前記電力装置が、前記蓄電装置と前記電力装置とが接続されると、前記電力装置が前記蓄電装置から受け付ける電力の供給を、前記蓄電装置の充放電に関する充放電履歴情報に基づいて制御するステップを含む。
【図面の簡単な説明】
【０００８】
【図１】本開示の一実施形態に係る電力システムの概略構成を示す図である。
【図２】図１の蓄電装置の概略構成を示すブロック図である。
【図３】図１の電力装置の概略構成を示すブロック図である。
【図４】図１の充電装置の概略構成を示すブロック図である。
【図５】充放電履歴情報の例を示す図である。
【図６】本開示の一実施形態に係る蓄電装置および電力装置の動作を示すシーケンス図である。
【図７】本開示の他の実施形態に係る蓄電装置および電力装置の動作を示すシーケンス図である。
【発明を実施するための形態】
【０００９】
従来、電力を売電する技術の利便性の向上が望まれている。本開示は、電力を売電する技術の利便性を向上させる電力システム、蓄電装置、および電力システムの制御方法に関する。本開示の一実施形態に係る電力システム、蓄電装置、および電力システムの制御方法によれば、電力を売電する技術の利便性が向上する。以下、本開示の実施形態について、図面を参照して説明する。
【００１０】
（電力システムの構成）
図１は、本開示の一実施形態に係る電力システム１の概略構成を示す図である。電力システム１は、蓄電装置１０と、電力装置２０と、充電装置３０と、移動体４０と、を含む。蓄電装置１０、電力装置２０、充電装置３０、および移動体４０それぞれの数は、任意に定められてもよい。
【００１１】
蓄電装置１０は、例えば需要者であるユーザによって利用される。蓄電装置１０は、後述するように、例えばユーザの自宅または充電ステーション等に設置された充電装置３０によって充電される。蓄電装置１０は、ユーザの自宅に備えられた負荷機器に対して電力を供給してもよい。蓄電装置１０は、可搬性を有する。本実施形態において、蓄電装置１０は、後述する移動体４０に搭載される。例えば、蓄電装置１０から供給される電力が、移動体４０によって消費されてもよい。具体的には、蓄電装置１０から移動体４０に供給される電力は、移動体４０の移動および移動体４０に搭載された補機の駆動等のために消費されてもよい。他の実施形態において、蓄電装置１０は、ユーザによって携帯可能であってもよい。蓄電装置１０の詳細については後述する。
【００１２】
電力装置２０は、任意の場所に設置されてもよい。例えば、電力装置２０は、蓄電装置１０のユーザの自宅以外の任意の施設に設置されてもよい。具体的には、電力装置２０は、コンビニエンスストア、スーパーマーケット、デパート、レストラン、病院、または駐車場等の施設に設置されてもよい。電力装置２０は、蓄電装置１０からの電力の供給を受け付ける。後述するように、蓄電装置１０から電力装置２０に供給された電力量に応じた報酬がユーザに付与されてもよい。以下、蓄電装置１０から電力装置２０に電力が供給されることを、蓄電装置１０による売電ともいう。本開示において「売電」は、金銭と引き換えに電力を供給すること、及び、電力自体を仮想的な通貨とみなして電力を供給すること等を含む。蓄電装置１０から電力装置２０に供給される電力量を、売電電力量ともいう。電力装置２０は、蓄電装置１０から売電された電力を、例えば電力装置２０が設置された施設に備えられた負荷機器または蓄電池に供給してもよい。電力装置２０は、蓄電装置１０を充電する充電器として機能してもよい。かかる場合、電力装置２０は、例えば商用電源または電力装置２０が設置された施設に備えられた蓄電池から、蓄電装置１０に電力を供給する。電力装置２０の詳細については後述する。
【００１３】
充電装置３０は、例えば電力装置２０の設置場所とは異なる任意の場所に設置されてもよい。例えば、充電装置３０は、蓄電装置１０のユーザの自宅または充電ステーション等の施設に設置されてもよい。充電装置３０は、蓄電装置１０を充電する充電器として機能する。充電装置３０は、再生可能エネルギー由来または枯渇性エネルギー由来の電力を蓄電装置１０に供給可能である。再生可能エネルギー由来の電力は、例えば太陽光、風力、水力、または地熱等のエネルギーを用いて発電される電力を含んでもよい。枯渇性エネルギー由来の電力は、例えば石油、石炭、または天然ガス等の化石エネルギーを用いて発電された電力を含んでもよい。以下、再生可能エネルギー由来の電力を供給する充電装置３０を、第１充電装置３０ａともいう。例えば、太陽光発電装置に接続された充電装置３０は、第１充電装置３０ａとして機能し得る。以下、枯渇性エネルギー由来の電力を供給する充電装置３０を、第２充電装置３０ｂともいう。例えば、枯渇性エネルギー由来の商用電源に接続された充電装置３０は、第２充電装置３０ｂとして機能し得る。後述するように、充電装置３０によって蓄電装置１０が充電されると、当該充電装置３０が第１充電装置３０ａであるか第２充電装置３０ｂであるかを識別可能な情報が、蓄電装置１０に記憶される。充電装置３０は、充電装置３０に接続された任意の負荷機器に対して電力を供給してもよい。例えば、充電装置３０および負荷機器が、蓄電装置１０のユーザの自宅に設置されていてもよい。充電装置３０は、ＥＭＳ（Energy Management System）として機能してもよい。充電装置３０は、蓄電装置１０および負荷機器の少なくとも一方に電力を供給可能である。充電装置３０は、例えば蓄電装置１０が接続されていない状態において、負荷機器に電力を供給してもよい。充電装置３０の詳細については後述する。
【００１４】
移動体４０は、蓄電装置１０を搭載する。移動体４０は、移動可能な任意の装置を含んでもよい。移動体４０は、移動するために蓄電装置１０からの供給電力を、使用してもよいし、使用しなくてもよい。移動するために蓄電装置１０からの供給電力を使用しない場合、移動体４０は、単に蓄電装置１０を運搬するために用いられてもよい。例えば、移動体４０は、車両、歩行ロボット、および飛行装置等を含んでもよい。例えば、車両は、電気自動車、ハイブリッド電気自動車、ガソリン自動車、および自転車等を含んでもよい。例えば、飛行装置は、ドローンおよびマルチコプタ等を含んでもよい。移動体４０は、ユーザによって運転または操縦されてもよい。移動体４０の運転または操縦に関するユーザ操作の少なくとも一部が自動化されてもよい。移動体４０は、ユーザ操作に拠らず、自律して移動可能であってもよい。本実施形態において、移動体４０が、蓄電装置１０からの供給電力を用いて移動する電気自動車である例について説明する。移動体４０は、回生ブレーキによって生じる回生電力の少なくとも一部を、蓄電装置１０の充電に使用してもよい。移動体４０の詳細については後述する。
【００１５】
ユーザによる電力システム１の利用例について説明する。ユーザは、移動体４０に搭載された蓄電装置１０を、例えばユーザの自宅または充電ステーション等に備えられた充電装置３０によって充電する。ユーザは、電力装置２０が設置された施設まで移動体４０で移動する。ユーザは、蓄電装置１０と電力装置２０とを接続して、蓄電装置１０による売電を開始する。売電が終了すると、売電電力量に応じた報酬がユーザに付与される。ユーザに付与される報酬の内容は、任意に定められてもよい。例えば、報酬は、金銭、仮想通貨、および所定サービスに利用可能なポイント等を含んでもよい。例えば、報酬は、電力装置２０が設置された施設におけるユーザの支払料金を減額する権利を含んでもよい。当該施設は、例えばレストランおよび電気量販店、ならびにそれらに関係する駐車場等の商業施設を含んでもよい。報酬の付与は、例えば報酬に相当するチケットを発券することによって実行されてもよい。報酬の付与は、報酬に相当する電子データをユーザの識別情報に対応付けて記憶することによって実行されてもよい。本実施形態において、報酬の付与は、電力装置２０によって実行される。他の実施形態において、報酬の付与は、例えばインターネット等の通信ネットワークを介して電力装置２０と通信可能な外部サーバが実行してもよい。例えば、ユーザがスマートフォンのアプリケーションで清算開始ボタンをクリックすると、外部サーバからの通信に応じて電力装置２０は受電動作を終了する。電力装置２０は、それまでに蓄電装置１０から売電された電力の報酬を算出して外部サーバに送信する。外部サーバは、その報酬に相当する減額のバーコードまたはＱＲコード（登録商標）等のコード画像を作成してユーザのスマートフォンに送信する。ユーザは、例えば食事または商品購入の清算時に、スマートフォン上に表示させたコード画像を提示することで支払いの減額を受けることができる。
【００１６】
このように、電力システム１を利用するユーザは、例えば蓄電装置１０に蓄積された電力を、電力装置２０が設置された任意の場所において売電可能である。したがって、ユーザが売電可能な機会が増加するので、電力を売電する技術の利便性が向上する。また、蓄電装置１０に蓄積される電力の利用が促進されるので、ユーザにとって当該電力の利用効率が向上する。また、ユーザに対して、電力装置２０が設置された場所に移動する動機付けを与えることができる。このため、例えば当該場所におけるユーザの経済活動が活性化する。
【００１７】
（蓄電装置の構成）
図２は、図１の蓄電装置１０の概略構成を示すブロック図である。本実施形態において、蓄電装置１０は、蓄電池１１と、通信部１２と、センサ部１３と、記憶部１４と、制御部１５と、を備える。他の実施形態において、蓄電池１１、通信部１２、センサ部１３、記憶部１４、および制御部１５のうち少なくとも１つが、蓄電装置１０が搭載される移動体４０に備えられてもよい。
【００１８】
蓄電池１１は、充放電が可能な任意の形式の電池を含む。例えば、蓄電池１１は、鉛蓄電池、リチウムイオン電池、ニッケルカドミウム電池、およびニッケル水素電池等を含んでもよい。
【００１９】
通信部１２は、外部装置との間で情報および電力の送受信を行う第１インタフェースを含んでもよい。第１インタフェースは、蓄電池１１の充放電方法に関する任意の規格に対応するモジュールおよびコネクタを含んでもよい。充放電方法に関する規格は、例えばＣＨＡｄｅＭＯ（登録商標）およびＵＳＢ（登録商標）等の規格を含んでもよい。本実施形態において通信部１２は、第１インタフェースを介して、電力装置２０および充電装置３０それぞれとの間で情報および電力の送受信が可能である。通信部１２は、外部装置との間で情報の送受信を行う第２インタフェースを含んでもよい。第２インタフェースは、有線または無線を介する任意の通信規格に対応する通信モジュールを含んでもよい。当該通信規格は、例えばＣＡＮ（Controller Area Network）等の車載ネットワークを介する通信規格を含んでもよい。本実施形態において通信部１２は、第２インタフェースを介して、移動体４０との間で情報の送受信が可能である。通信部１２は、例えばインターネット等の通信ネットワークを介して外部装置との間で情報の送受信を行う第３インタフェースを含んでもよい。第３インタフェースは、例えば任意の無線通信規格に対応する通信モジュールを含んでもよい。通信部１２は、第３インタフェースおよび通信ネットワークを介して、外部のサーバに接続して電力および位置に関する情報を送受信してもよい。通信部１２は、サーバからより高度なサービス情報を受信してもよい。
【００２０】
センサ部１３は、１つ以上の任意のセンサまたは検知機構を含む。例えば、センサ部１３は、充放電電力センサと、残存容量センサと、を含んでもよい。充放電電力センサは、例えばＣＴ（Current Transformer）を用いて電流を測定し、蓄電池１１の充放電電力量を検出する。例えば、充放電電力センサは、電力装置２０に対する売電時に売電電力量を検出してもよい。充放電電力センサは、充電装置３０による充電時に充電電力量を検出してもよい。残存容量センサは、例えばＣＴを用いて蓄電池１１の放電電流量と充電電流量を監視し、残存容量を検出する。残存容量の検出には、任意のアルゴリズムが採用可能である。例えば、残存容量の検出には、電流積算法または開放電圧法等の残存容量推定アルゴリズムが採用されてもよい。
【００２１】
記憶部１４は、１つ以上のメモリを含む。例えば、記憶部１４は、半導体メモリ、磁気メモリ、または光メモリ等を含んでもよい。記憶部１４は、例えば一次記憶装置または二次記憶装置として機能してもよい。記憶部１４は、蓄電装置１０の動作に用いられる任意の情報を記憶してもよい。例えば、記憶部１４は、蓄電装置１０を一意に識別可能な蓄電装置ＩＤを予め記憶してもよい。記憶部１４は、後述する充放電履歴情報を記憶してもよい。
【００２２】
制御部１５は、１つ以上のプロセッサを含む。プロセッサは、汎用のプロセッサ、および特定の処理に特化した専用プロセッサを含んでもよい。他の実施形態において、移動体４０に備えられたＥＣＵ（Electronic Control Unit）等のプロセッサが、制御部１５として機能してもよい。制御部１５は、蓄電装置１０全体の動作を制御する。蓄電装置１０の動作の具体例については後述する。
【００２３】
（電力装置の構成）
図３は、図１の電力装置２０の概略構成を示すブロック図である。本実施形態において、電力装置２０は、通信部２１と、センサ部２２と、記憶部２３と、制御部２４と、を備える。
【００２４】
通信部２１は、外部装置との間で情報および電力の送受信を行う第１インタフェースを含んでもよい。本実施形態において通信部２１は、第１インタフェースを介して、蓄電装置１０との間で情報および電力の送受信が可能である。通信部２１は、通信ネットワークを介して外部装置との間で情報の送受信を行う第３インタフェースを含んでもよい。通信部２１は、第３インタフェースおよび通信ネットワークを介して、外部のサーバに接続して充放電履歴に関する情報を送受信してもよい。かかる構成によれば、例えば、過去の測定データ量が多くなり、後述する記憶部２３に収納し切れない場合などには、充放電履歴情報の少なくとも一部をサーバに保管しておくことが可能となる。
【００２５】
センサ部２２は、１つ以上の任意のセンサまたは検知機構を含む。例えば、センサ部２２は、充放電電力センサを含んでもよい。充放電電力センサは、例えばＣＴを用いて電流を測定し、通信部２１を介して接続された蓄電装置１０の充放電電力量を検出する。例えば、充放電電力センサは、電力装置２０に対する売電時に売電電力量を検出してもよい。
【００２６】
記憶部２３は、１つ以上のメモリを含む。例えば、記憶部２３は、半導体メモリ、磁気メモリ、または光メモリ等を含んでもよい。記憶部２３は、例えば一次記憶装置または二次記憶装置として機能してもよい。記憶部２３は、電力装置２０の動作に用いられる任意の情報を記憶してもよい。
【００２７】
制御部２４は、１つ以上のプロセッサを含む。プロセッサは、汎用のプロセッサ、及び特定の処理に特化した専用プロセッサを含んでもよい。制御部２４は、電力装置２０全体の動作を制御する。電力装置２０の動作の具体例については後述する。
【００２８】
（充電装置の構成）
図４は、図１の充電装置３０の概略構成を示すブロック図である。充電装置３０は、通信部３１と、センサ部３２と、記憶部３３と、制御部３４と、を備える。
【００２９】
通信部３１は、外部装置との間で情報および電力の送受信を行う第１インタフェースを含んでもよい。本実施形態において通信部３１は、第１インタフェースを介して、蓄電装置１０との間で情報の送受信が可能である。通信部３１は、第１インタフェースを介して、蓄電装置１０に対する電力の送信が可能である。具体的には、第１充電装置３０ａの通信部３１は、再生可能エネルギー由来の電力を蓄電装置１０へ送信可能である。一方、第２充電装置３０ｂの通信部３１は、枯渇性エネルギー由来の電力を蓄電装置１０へ送信可能である。通信部３１は、通信ネットワークを介して外部装置との間で情報の送受信を行う第３インタフェースを含んでもよい。通信部３１は、第３インタフェースおよび通信ネットワークを介して、外部のサーバに接続して電力に関する情報を送受信してもよい。例えば、通信部３１は、充電装置３０が太陽光発電装置および負荷装置に接続されている場合において、リアルタイムな気象情報または過去の発電実績等の情報を、電力に関する情報としてサーバから取得してもよい。かかる構成によれば、例えば充電装置３０に蓄電装置１０および負荷装置の両方が接続されている場合において、充電装置３０は、電力に関する情報に基づいて、蓄電装置１０と負荷装置のいずれかに優先的に電力を振り分けることができる。
【００３０】
センサ部３２は、１つ以上の任意のセンサまたは検知機構を含む。例えば、センサ部３２は、充電電力センサを含んでもよい。充電電力センサは、例えばＣＴを用いて電流を測定し、通信部３１を介して接続された蓄電装置１０の充電電力量を検出する。
【００３１】
記憶部３３は、１つ以上のメモリを含む。例えば、記憶部３３は、半導体メモリ、磁気メモリ、または光メモリ等を含んでもよい。記憶部３３は、例えば一次記憶装置または二次記憶装置として機能してもよい。記憶部３３は、充電装置３０の動作に用いられる任意の情報を記憶してもよい。
【００３２】
制御部３４は、１つ以上のプロセッサを含む。プロセッサは、汎用のプロセッサ、及び特定の処理に特化した専用プロセッサを含んでもよい。制御部３４は、充電装置３０全体の動作を制御する。例えば、制御部３４は、蓄電装置１０の充電に際して、充電を実行する充電装置３０が第１充電装置３０ａおよび第２充電装置３０ｂのいずれであるかを蓄電装置１０に通知してもよい。
【００３３】
（移動体の構成）
図１に示す移動体４０は、１つ以上の補機と、１つ以上のプロセッサと、車載ネットワークと、を含む。補機は、例えば空調装置およびナビゲーション装置等を含んでもよい。プロセッサは、例えばＥＣＵを含んでもよい。プロセッサは、移動体４０全体の動作を制御する。例えば、プロセッサは、移動体４０の回生ブレーキによって生じる回生電力の少なくとも一部を、蓄電装置１０の充電に使用してもよい。
【００３４】
（蓄電装置および電力装置の動作）
蓄電装置１０および電力装置２０の動作について具体的に説明する。当該動作は、蓄電装置１０から電力装置２０に対する売電に関連する動作である。
【００３５】
蓄電装置１０の制御部１５は、例えば蓄電装置１０の充放電が実行される度に、充放電履歴情報を記憶部１４に記憶する。充放電履歴情報は、蓄電装置１０の充放電に関する任意の履歴を含んでもよい。例えば図５に示すように、充放電履歴情報は、ユーザＩＤと、蓄電装置ＩＤと、日時と、充放電電力量と、属性と、残存容量と、第１パラメータと、第２パラメータと、を含む。
【００３６】
ユーザＩＤは、ユーザを一意に識別可能な情報である。蓄電装置ＩＤは、上述したように蓄電装置ＩＤを一意に識別可能な情報である。
【００３７】
日時は、蓄電装置１０の充放電が実行されたタイムスタンプである。制御部１５は、例えば蓄電装置１０の充放電が終了すると、充放電の終了した日時を記憶部１４に記憶してもよい。
【００３８】
充放電電力量は、蓄電装置１０の充放電が実行されたときの充放電電力量である。図５において、充電電力量を正の数値で示し、放電電力量を負の数値で示す。制御部１５は、例えば蓄電装置１０の充放電が終了すると、センサ部１３を用いて検出した充放電電力量を記憶部１４に記憶してもよい。この際、放電効率および充電効率を考慮して、充放電電力量が算出されてもよい。以下の説明においては、具体的な充放電電力量の数値を用いて説明する場合、簡略化のため充電効率および放電効率は１．０であるものとして説明する。
【００３９】
属性は、蓄電装置１０に充電電力を供給した装置、または蓄電装置１０が放電電力を供給した装置を示す情報である。例えば、属性は、電力装置２０、第１充電装置３０ａ、第２充電装置３０ｂ、または移動体４０のいずれかを示してもよい。制御部１５は、例えば蓄電装置１０と電力装置２０とが接続されているときに蓄電装置１０の充放電が実行されると、属性を「電力装置」として記憶部１４に記憶してもよい。制御部１５は、例えば蓄電装置１０と充電装置３０とが接続されているときに蓄電装置１０の充電が実行されると、充電装置３０から取得する通知に基づいて、充電装置３０が第１充電装置３０ａおよび第２充電装置３０ｂのいずれであるかを特定してもよい。制御部１５は、充電装置３０の特定結果に応じて、属性を「第１充電装置」または「第２充電装置」として記憶部１４に記憶してもよい。制御部１５は、例えば蓄電装置１０が電力装置２０および充電装置３０のいずれとも接続されていないときに蓄電装置１０の充放電が実行されると、属性を「移動体」として記憶部１４に記憶してもよい。
【００４０】
残存容量は、蓄電装置１０の充放電が終了したときの蓄電池１１の残存容量である。制御部１５は、センサ部１３を用いて検出した残存容量を記憶部１４に記憶してもよい。
【００４１】
第１パラメータは、蓄電池１１の残存容量のうち、再生可能エネルギー由来の電力量に相当するパラメータである。制御部１５は、第１充電装置３０ａからの充電電力量に応じて第１パラメータを増加させてもよい。例えば、制御部１５は、第１充電装置３０ａからの充電電力量だけ第１パラメータを増加させてもよい。
【００４２】
第２パラメータは、蓄電池１１の残存容量のうち、枯渇性エネルギー由来の電力量に相当するパラメータである。制御部１５は、第２充電装置３０ｂからの充電電力量に応じて第２パラメータを増加させてもよい。例えば、制御部１５は、第２充電装置３０ｂからの充電電力量だけ増加してもよい。
【００４３】
上述したように、蓄電装置１０は、移動体４０の回生ブレーキによっても充電され得る。本実施形態において、制御部１５は、移動体４０の回生ブレーキによる充電電力量に応じて、第２パラメータを増加させる。例えば、制御部１５は、移動体４０の回生ブレーキによる充電出力量だけ第２パラメータを増加させてもよい。かかる構成は、次に説明する思想に基づく。すなわち、蓄電装置１０に再生可能エネルギー由来の電力のみが蓄積されている状況は比較的稀であり、再生可能エネルギー由来の電力および枯渇性エネルギー由来の電力の両方が蓄電装置１０に蓄積されている蓋然性が高い。したがって、移動体４０は、蓄電装置１０に蓄積された再生可能エネルギー由来の電力および枯渇性エネルギー由来の電力の両方を消費すると考えることができる。回生ブレーキは、移動体４０の走行によって消費された電力の一部を回収するものである。このため、回生ブレーキによる充電電力は、枯渇性エネルギー由来の電力の一部と考えることができる。本実施形態では、移動体４０の回生ブレーキによる充電電力量に応じて第２パラメータが増加する。かかる構成によれば、蓄電池１１の残存容量のうち再生可能エネルギー由来の電力量に相当する第１パラメータの精度が向上する。
【００４４】
他の実施形態において、制御部１５は、移動体４０の回生ブレーキによる充電電力量に応じて、第１パラメータを増加させてもよい。かかる構成は、次に説明する思想に基づく。すなわち、回生ブレーキは、上述したように移動体４０の走行のために消費された電力の一部を回収するものである。回生ブレーキによって回収される電力は、例えば電力の生成に二酸化炭素の排出を伴わない点で、枯渇性エネルギー由来の電力と相違する。このため、回生ブレーキによる充電電力は、枯渇性エネルギー由来の電力よりも、再生可能エネルギー由来の電力に近い性質を有すると考えることができる。他の実施形態では、移動体４０の回生ブレーキによる充電電力量に応じて第１パラメータが増加する。このため、蓄電池１１の残存容量のうち枯渇性エネルギー由来の電力量に相当する第２パラメータの精度が向上する。
【００４５】
制御部１５は、蓄電装置１０から電力装置２０に対する売電電力量に応じて第１パラメータを減少させてもよい。例えば、制御部１５は、電力装置２０に対する売電電力量だけ第１パラメータを減少させてもよい。かかる構成は、蓄電装置１０から電力装置２０に対する売電において、再生可能エネルギー由来の電力が優先的に用いられることに相当する。
【００４６】
制御部１５は、蓄電装置１０が電力装置２０に対する売電以外で放電すると、放電電力量に応じて第１パラメータおよび第２パラメータの合計値を減少させてもよい。第１パラメータおよび第２パラメータの合計値を減少させる際、制御部１５は、例えば第２パラメータがゼロよりも大きい場合、第１パラメータよりも第２パラメータを優先的に減少させてもよい。かかる構成は、蓄電装置１０から電力装置２０に対する売電以外の放電において、枯渇性エネルギー由来の電力が優先的に用いられることに相当する。
【００４７】
図５の充放電履歴情報によって示される具体的内容について説明する。充放電履歴情報の説明において、各電力量の値は、説明のための仮の数値であって、実際の数値と必ずしも一致しない。
【００４８】
充放電履歴情報の１行目は、蓄電装置１０の初期状態を示す。具体的には、初期状態において、蓄電装置１０の残存容量は０ｋＷｈである。第１パラメータおよび第２パラメータは、それぞれ０ポイントである。
【００４９】
充放電履歴情報の２行目は、７月２８日８時に、第１充電装置３０ａから蓄電装置１０に３０ｋＷｈの電力量が充電されたことを示す。蓄電装置１０の残存容量は、０ｋＷｈから３０ｋＷｈに増加している。第１充電装置３０ａによる充電であるため、第１パラメータが０ポイントから３０ポイントに増加している。一方、第２パラメータは０ポイントのままである。
【００５０】
充放電履歴情報の３行目は、７月２８日９時に、蓄電装置１０から移動体４０に５ｋＷｈの電力量が放電されたことを示す。蓄電装置１０の残存容量は、３０ｋＷｈから２５ｋＷｈに減少している。売電以外の放電であるため、第１パラメータおよび第２パラメータの合計値が３０ポイントから２５ポイントに減少している。詳細には、第２パラメータが０ポイントであるため、第１パラメータが３０ポイントから２５ポイントに減少している。一方、第２パラメータは０ポイントのままである。
【００５１】
充放電履歴情報の４行目は、７月２８日９時１分に、移動体４０の回生ブレーキによって蓄電装置１０に１ｋＷｈの電力量が充電されたことを示す。蓄電装置１０の残存容量は、２５ｋＷｈから２６ｋＷｈに増加している。回生ブレーキによる充電であるため、第２パラメータが０ポイントから１ポイントに増加している。一方、第１パラメータは２５ポイントのままである。
【００５２】
充放電履歴情報の５行目は、７月２８日１０時に、第２充電装置３０ｂから蓄電装置１０に２０ｋＷｈの電力量が充電されたことを示す。蓄電装置１０の残存容量は、２６ｋＷｈから４６ｋＷｈに増加している。第２充電装置３０ｂによる充電であるため、第２パラメータが１ポイントから２１ポイントに増加している。一方、第１パラメータは２５ポイントのままである。
【００５３】
充放電履歴情報の６行目は、７月２８日１１時に、蓄電装置１０から移動体４０に５ｋＷｈの電力量が放電されたことを示す。蓄電装置１０の残存容量は、４６ｋＷｈから４１ｋＷｈに減少している。売電以外の放電であるため、第１パラメータおよび第２パラメータの合計値が４６ポイントから４１ポイントに減少している。詳細には、第２パラメータが０ポイントよりも大きいため、第１パラメータに優先される第２パラメータが２１ポイントから１６ポイントに減少している。一方、第２パラメータは２５ポイントのままである。
【００５４】
充放電履歴情報の７行目は、７月２８日１１時１分に、移動体４０の回生ブレーキによって蓄電装置１０に１ｋＷｈの電力量が充電されたことを示す。蓄電装置１０の残存容量は、４１ｋＷｈから４２ｋＷｈに増加している。回生ブレーキによる充電であるため、第２パラメータが１６ポイントから１７ポイントに増加している。一方、第１パラメータは２５ポイントのままである。
【００５５】
充放電履歴情報の８行目は、７月２８日１２時に、蓄電装置１０から電力装置２０に対して５ｋＷｈの電力量が売電されたことを示す。蓄電装置１０の残存容量は、４２ｋＷｈから３７ｋＷｈに減少している。電力装置２０に対する売電であるため、第１パラメータが２５ポイントから２０ポイントに減少している。一方、第２パラメータは１７ポイントのままである。
【００５６】
蓄電装置１０と電力装置２０とが通信可能に接続されると、制御部１５は、蓄電装置１０による売電を、充放電履歴情報に基づいて制御する。具体的には、制御部１５は、充放電履歴情報に含まれる第１パラメータに基づいて、上限電力量を決定してもよい。例えば、制御部１５は、上限電力量を第１パラメータ以下の値に決定してもよい。制御部１５は、上限電力量まで売電を許可する。具体的には、制御部１５は、売電の開始後に売電電力量が上限電力量に達すると、売電を終了してもよい。制御部１５は、蓄電装置１０から電力装置２０に対する売電を開始してもよい。売電が終了すると、電力装置２０の制御部２４は、売電電力量に応じた報酬をユーザに付与する。
【００５７】
図６本開示の一実施形態に係る蓄電装置１０および電力装置２０の動作を示すシーケンス図である。
【００５８】
ステップＳ１００：蓄電装置１０は、蓄電装置１０の充放電に関する充放電履歴情報を記憶する。
【００５９】
ステップＳ１０１：蓄電装置１０は、充放電履歴情報の第１パラメータに基づいて、上限電力量を決定する。
【００６０】
ステップＳ１０２：蓄電装置１０は、上限電力量まで売電を許可する。
【００６１】
ステップＳ１０３：蓄電装置１０は、電力装置２０に対する売電を開始する。
【００６２】
ステップＳ１０４：電力装置２０は、売電が終了すると、売電電力量に応じた報酬をユーザに付与する。
【００６３】
以上述べたように、電力システム１において、蓄電装置１０は、蓄電装置１０の充放電に関する充放電履歴情報に基づいて、蓄電装置１０による売電を制御する。かかる構成によれば、蓄電装置１０に蓄積された電力の由来を考慮した売電が可能となる。したがって、電力を売電する技術の利便性が向上する。
【００６４】
例えば、充放電履歴情報は、第１パラメータと、第２パタメータと、を含んでもよい。当該第１パラメータは、再生可能エネルギー由来の電力を供給する第１充電装置３０ａからの充電電力量に応じて増加する。当該第２パラメータは、枯渇性エネルギー由来の電力を供給する第２充電装置３０ｂからの充電電力量に応じて増加する。蓄電装置１０は、第１パラメータに基づいて決定される上限電力量まで売電を許可してもよい。かかる構成は、蓄電装置１０に蓄積された電力のうち、再生可能エネルギー由来の電力に限り売電が許可されることに相当し得る。かかる構成によれば、ユーザに対して、再生可能エネルギー由来の電力を用いて蓄電装置１０を充電する動機付けを与えることができる。したがって、再生可能エネルギー由来の電力の利用が促進されるので、環境に対する悪影響の発生が低減される。このため、電力を売電する技術の利便性が更に向上する。
【００６５】
本開示を諸図面および実施形態に基づき説明してきたが、当業者であれば本開示に基づき種々の変形および修正を行うことが容易であることに注意されたい。したがって、これらの変形および修正は本開示の範囲に含まれることに留意されたい。例えば、各手段、または各ステップ等に含まれる機能等は論理的に矛盾しないように再配置可能である。複数の手段またはステップ等を１つに組み合わせたり、あるいは分割したりすることが可能である。
【００６６】
例えば、上述した実施形態における蓄電装置１０の動作の少なくとも一部が、電力装置２０によって実行されてもよい。例えば、上述したステップＳ１００−Ｓ１０２は、蓄電装置１０と通信可能に接続された電力装置２０によって実行されてもよい。
【００６７】
例えば、上述した実施形態における電力装置２０が、互いに通信可能に接続された複数の装置に分割されてもよい。複数の装置のうち、例えば売電電力量に応じた報酬をユーザに付与する動作を実行する少なくとも１つの装置が、電力装置２０が設置された施設内に配置されてもよい。かかる構成によれば、ユーザに対して、報酬を受け取るために施設に入場する動機付けを与えることができる。したがって、当該施設におけるユーザの経済活動の活性化を促進可能である。
【００６８】
上述した実施形態において、充放電履歴情報に基づいて蓄電装置１０による売電を制御する手法として、充放電履歴情報に含まれる第１パラメータに基づいて決定される上限電力量まで売電が許可される構成について説明した。充放電履歴情報に基づいて売電を制御する手法は、上述した実施形態に限られない。他の実施形態において、例えば蓄電装置１０の制御部１５は、充放電履歴情報に含まれる第２パラメータが０ポイントである場合に蓄電装置１０による売電を許可してもよい。制御部１５は、充放電履歴情報に含まれる第２パラメータが０ポイントでない場合に蓄電装置１０に蓄電装置１０による売電を禁止してもよい。
図７は、本開示の他の実施形態に係る蓄電装置１０および電力装置２０の動作を示すシーケンス図である。
【００６９】
ステップＳ２００：蓄電装置１０は、蓄電装置１０の充放電に関する充放電履歴情報を記憶する。
【００７０】
ステップＳ２０１：蓄電装置１０は、蓄電装置１０による売電を、充放電履歴情報に含まれる第２パラメータが０ポイントである場合に許可し、第２パラメータが０ポイントでない場合に禁止する。ここでは、蓄電装置１０による売電が許可されたものとする。
【００７１】
ステップＳ２０２：蓄電装置１０は、電力装置２０に対する売電を開始する。
【００７２】
ステップＳ２０３：電力装置２０は、売電が終了すると、売電電力量に応じた報酬をユーザに付与する。
【００７３】
上述したステップＳ２００−Ｓ２０２は、蓄電装置１０と通信可能に接続された電力装置２０によって実行されてもよい。
【００７４】
上述した実施形態において、再生可能エネルギー由来の電力を供給する第１充電装置３０ａによる充電電力量に応じて第１パラメータが増加する構成について説明した。他の実施形態において、特定の第１充電装置３０ａに限り、第１充電装置３０ａによる充電電力量に応じて第１パラメータが増加する構成も可能である。特定の第１充電装置３０ａは、例えば、蓄電装置１０のユーザに対応付けられた第１充電装置３０ａであってもよい。ユーザに対応付けられた第１充電装置３０ａは、例えば、ユーザによって所有されまたは借りられている第１充電装置３０ａであってもよい。例えば、第１充電装置３０ａは、ユーザによって所有されまたは借りられたときに、ユーザ操作に応じてユーザと第１充電装置３０ａとの対応関係を記憶してもよい。かかる構成によれば、ユーザに対して、第１充電装置３０ａを所有するまたは借りる動機付けを与えることができる。したがって、再生可能エネルギー由来の電力の利用が促進されるので、環境に対する悪影響の発生が低減される。このため、電力を売電する技術の利便性が更に向上する。
【００７５】
上述した実施形態において、蓄電装置１０から移動体４０への放電電力量と、移動体４０の回生ブレーキによる蓄電装置１０の充電電力量と、が別々に充放電履歴情報に蓄積される構成について説明した。他の実施形態において、蓄電装置１０から移動体４０への放電電力量と、移動体４０の回生ブレーキによる蓄電装置１０の充電電力量と、が纏めて充放電履歴情報に蓄積されてもよい。一般的に、蓄電装置１０から移動体４０への放電電力量は、移動体４０の回生ブレーキによる蓄電装置１０の充電電力量よりも大きい。このため、移動体４０の移動の終了時点における蓄電装置１０の残存容量は、移動体４０の移動の開始時点よりも小さい。よって、移動体４０の移動前後における蓄電装置１０の残存容量の減少量に応じて、上述したように第１パラメータおよび第２パラメータの合計値が減少してもよい。
【００７６】
他の実施形態において、充電装置３０は、第１充電装置３０ａと第２充電装置３０ｂの両方の機能を有した１つの装置であってもよい。かかる充電装置３０は、例えば、装置内部の切り替えおよび電力測定等の任意の処理が分離して行われることによって、再生可能エネルギー由来の電力または枯渇性エネルギー由来の電力を選択して使用することができる。充電装置３０は、第１充電装置３０ａとして再生可能エネルギー由来の電力を供給し、再生可能エネルギー由来の電力の供給が停止した場合、第２充電装置３０ｂとして枯渇性エネルギー由来の電力を供給することができる。
【００７７】
他の実施形態において、充電装置３０が蓄電池を備えていてもよい。例えば、充電装置３０は、再生可能エネルギー由来の電力のみを蓄電池に充電している場合には、蓄電池に蓄積された再生可能エネルギー由来の電力を供給可能な第１充電装置３０ａとして機能してもよい。
【００７８】
他の実施形態において、蓄電装置１０の充放電に関する充放電履歴情報は、蓄電装置１０以外の他の装置に記憶されてもよい。他の装置は、例えば、蓄電装置１０のユーザの自宅に備えられたコンピュータ、移動体４０に搭載された記憶装置、および通信ネットワークに接続されたサーバ等を含んでもよい。かかる場合、蓄電装置１０の制御部１５は、例えば蓄電装置１０の充放電が実行される度に、通信部１２を介して充放電履歴情報を当該他の装置に送信する。当該他の装置は、蓄電装置１０から受信された充放電履歴情報を記憶する。
【符号の説明】
【００７９】
１    電力システム
１０    蓄電装置
１１    蓄電池
１２    通信部
１３    センサ部
１４    記憶部
１５    制御部
２０    電力装置
２１    通信部
２２    センサ部
２３    記憶部
２４    制御部
３０    充電装置
３０ａ    第１充電装置
３０ｂ    第２充電装置
３１    通信部
３２    センサ部
３３    記憶部
３４    制御部
４０    移動体
【図１】
2019044708.tif 000003
【図２】
2019044708.tif 000004
【図３】
2019044708.tif 000005
【図４】
2019044708.tif 000006
【図５】
2019044708.tif 000007
【図６】
2019044708.tif 000008
【図７】
2019044708.tif 000009
【国際調査報告】
2019044708.tif 000010
2019044708.tif 000011